(57)【要約】      （修正有）【課題】作業者が作業しやすい高さに握持杆部を簡易に調整可能で、かつ、一度に多くの雪塊を積載することができる耐久性の高いスノーダンプを提供する。【解決手段】バケット本体２の左右には柄杆４を挿入して取り付けるためのバケット本体底面の平坦面に対して傾斜する一対の挿入部６ａが設けられ、柄杆４は、該挿入部に挿入される一対のバケット支持部４ａ、該バケット支持部から連続して伸長する斜設部４ｂおよび一対の該斜設部の末端を連結する握持杆部４ｃとを有する略コの字型をなし、挿入部には、挿入部６ａへのバケット支持部の挿入深度を調節し、かつ、バケット本体とバケット支持部とを固定するための調節機構が設けられている。また、バケット本体の後方には積載した雪塊が零れ落ちることを防止するためのネット２２が取り付けられている。【選択図】図１
0003108877.tif 000002
【実用新案登録請求の範囲】
【請求項１】
雪を掬うためのバケット本体（２）に柄杆（４）を付設したスノーダンプ（１０）であって、
前記バケット本体の左右には前記柄杆を挿入して取り付けるためのバケット本体底面の平坦面に対して傾斜する一対の挿入部（６ａ）が設けられ、
前記柄杆は、該挿入部に挿入される一対のバケット支持部（４ａ）、該バケット支持部から連続して伸長する斜設部（４ｂ）および一対の該斜設部の末端を連結する握持杆部（４ｃ）とを有する略コの字型をなし、
前記挿入部には、挿入部へのバケット支持部の挿入深度を調節し、かつ、バケット本体とバケット支持部とを固定するための調節機構が設けられている、ことを特徴とするスノーダンプ。
【請求項２】
前記調節機構は、前記挿入部（６ａ）に形成された第１貫通孔（１２）と、第１貫通孔と同じ大きさの前記バケット支持部（４ａ）に形成された複数の第２貫通孔（１４）と、前記第１貫通孔および第２貫通孔と同様の横断面形状を有する棒状のピン（１６）と、からなることを特徴とする請求項１に記載のスノーダンプ。
【請求項３】
前記柄杆（４）は、前記斜設部（４ｂ）がバケット本体（２）の底面平坦部の延長線と７５°±１０°をなすように傾斜してバケット本体に取り付けられる、ことを特徴とする請求項１又は２に記載のスノーダンプ。
【請求項４】
前記握持杆部（４ｃ）近傍の斜設部（４ｂ）には、対向して内側に突出し、または、斜設部を水平方向に連結する把持部（４ｄ）が設けられている、ことを特徴とする請求項１乃至３のいずれかに記載のスノーダンプ。
【請求項５】
前記挿入部（６ａ）には、除雪作業時に前記握持杆部（４ｃ）を押し下げてテコの原理により前記バケット本体（２）の先端を持ち上げる際に支点となる補強部（１８）が設けられている、ことを特徴とする請求項１乃至４のいずれかに記載のスノーダンプ。
【請求項６】
前記挿入部（６ａ）および該挿入部に挿入される前記バケット支持部（４ａ）は、下向きに凸となる弧形状をなす、ことを特徴とする請求項１，２，４，５のいずれかに記載のスノーダンプ。
【請求項７】
前記バケット本体（２）の後端上部から掬い上げた雪塊が零れ落ちることを防止するためのネット（２２）がバケット本体の後方位置に取り付けられている、ことを特徴とする請求項１乃至６のいずれかに記載のスノーダンプ。
【考案の詳細な説明】
【技術分野】
【０００１】
本考案は、雪かき作業に用いられるスノーダンプに関し、より詳細には、雪かき作業における労力を軽減して作業性を向上させることができるとともに、その耐久性を向上させたスノーダンプに関する。
【背景技術】
【０００２】
積雪の多い地域では、雪かき作業に要する労力は多大なものである。特に、除雪車などで除雪を行うことができない路地や屋根・屋上の雪かきは人力によるしかなく、作業者は相当な重労働を強いられるといった問題があった。特に従来のスノーダンプでは、図７に示したようにバケット本体に柄杆が固定されて取り付けられており、作業者が握るための握持杆部が腿高であったために中腰での雪かき作業が多くなり、腰痛等の発生原因となっていた。
【０００３】
人力での雪かき作業の労力を軽減してかかる問題を改善するために、ハンドル姿勢を変更することができるタイプの様々なスノーダンプが発案されている。例えば、特許文献１に記載の「スノーダンプ」では、雪掬い部（バケット本体）に着脱可能な柄杆を付設して成るスノーダンプにおいて、屈曲した柄杆を上下に反転させて雪掬い部に付設することで、握持杆部の高さを変更する発明が提案されている。
【特許文献１】特開２００３−２２７１１３
【考案の開示】
【考案が解決しようとする課題】
【０００４】
しかしながら、上記特許文献１に記載の発明の構成では、握持杆部の高さを変えるために柄杆の抜き差しを行う必要があり、作業に手間取るといった問題があった。また雪掬い部に掬い上げた雪塊を投棄のために運搬するためには、握持杆部を押し下げることで、降り積もった雪に挿し込んだ雪掬い部の先端をテコの原理により持ち上げる必要があるが、雪掬い部上の雪塊が零れ落ちないようにするためには、雪掬い部の開口縁がほぼ水平となるように保たなければならず、作業者は未だに不自然な姿勢での投棄運搬作業を強いられていた。またかかる場合にスノーダンプを前進させると、雪掬い部の先端が雪路面の凹凸に衝突するいわゆるつまずきが発生し、スムーズな投棄運搬作業が阻害されるといった問題があった。一方、雪掬い部の先端を大きく持ち上げようとする場合には、雪塊が零れ落ちないようにするために雪掬い部には少量の雪塊しか積載することができなかった。
また、握持杆部を押し下げることで、降り積もった雪に挿し込んだ雪掬い部の先端をテコの原理により持ち上げる場合に、雪掬い部の底部の一部分に大きな力が作用するため、雪掬い部に変形や割れが発生することがあり、スノーダンプの寿命が短くなるといった問題があった。
【０００５】
本考案は上記問題点を解決するために創案されたものであり、その目的は、作業者が作業しやすい高さに握持杆部を簡易に調整可能で、作業者の労力を軽減することができるスノーダンプを提供することにある。
また本考案は、雪掬い部の変形や割れが発生を防止してスノーダンプの耐久性を向上させ、また、一度に多くの雪塊を積載可能なスノーダンプを提供することも目的とする。
【課題を解決するための手段】
【０００６】
上記問題を解決するため請求項１に記載の考案は、雪を掬うためのバケット本体（２）に柄杆（４）を付設したスノーダンプ（１０）であって、前記バケット本体の左右には前記柄杆を挿入して取り付けるためのバケット本体底面の平坦面に対して傾斜する一対の挿入部（６ａ）が設けられ、前記柄杆は、該挿入部に挿入される一対のバケット支持部（４ａ）、該バケット支持部から連続して伸長する斜設部（４ｂ）および一対の該斜設部の末端を連結する握持杆部（４ｃ）とを有する略コの字型をなし、前記挿入部には、挿入部へのバケット支持部の挿入深度を調節し、かつ、バケット本体とバケット支持部とを固定するための調節機構が設けられている、ことを特徴とする。
【０００７】
また請求項２に記載の考案のように、前記調節機構は、前記挿入部（６ａ）に形成された第１貫通孔（１２）と、第１貫通孔と同じ大きさの前記バケット支持部（４ａ）に形成された複数の第２貫通孔（１４）と、前記第１貫通孔および第２貫通孔と同様の横断面形状を有する棒状のピン（１６）と、からなる。
【０００８】
また請求項３に記載したように、前記柄杆（４）は、前記斜設部（４ｂ）がバケット本体（２）の底面平坦部の延長線と７５°±１０°をなすように傾斜してバケット本体に取り付けられる、ことが好ましい。
【０００９】
請求項４に記載の考案は、前記握持杆部（４ｃ）近傍の斜設部（４ｂ）には、対向して内側に突出し、または、斜設部を水平方向に連結する把持部（４ｄ）が設けられている、ことを特徴とする。
【００１０】
また請求項５に記載の考案は、前記挿入部（６ａ）には、除雪作業時に前記握持杆部（４ｃ）を押し下げてテコの原理により前記バケット本体（２）の先端を持ち上げる際に支点となる補強部（１８）が設けられている、ことを特徴とする。
【００１１】
請求項６に記載の考案は、前記挿入部（６ａ）および該挿入部に挿入される前記バケット支持部（４ａ）は、下向きに凸となる弧形状をなす、ことを特徴とする。
【００１２】
請求項７に記載の考案は、前記バケット本体（２）の後端上部から掬い上げた雪塊が零れ落ちることを防止するためのネット（２２）がバケット本体の後方位置に取り付けられている、ことを特徴とする。
【考案の効果】
【００１３】
請求項１に記載のスノーダンプには、バケット本体の左右に傾斜して設けられた挿入部へのバケット支持部の挿入深度を調節し、また、バケット本体とバケット支持部とを固定することが可能なスライド式の調節機構が設けられているため、作業者は自分の身長に合わせて最も使いやすい高さに握持杆部がくるように容易に柄杆の長さを調節することができ、これにより雪かき作業における作業者の負担を軽減することができる。なお柄杆は、１本の金属棒を屈曲させることによって、バケット支持部、斜設部および握持杆部を形成することが好ましい。
【００１４】
ここで請求項２に記載したように、柄杆の長さを、第１貫通孔および第２貫通孔の一つと位置合わせし、ここにピンを挿通することで調節可能とすることで、作業者は極めて容易に握持杆部の高さを調節してやることができる。
【００１５】
請求項３に記載のスノーダンプによれば、従来のスノーダンプのバケット支持部への柄杆の斜設部の取り付けが、斜設部とバケット本体の底面平坦部の延長線と５５°±１０°程度傾斜して行われるのに対し、その角度が大きく斜設部が倒立しているため、同じ長さの斜設部であっても握持杆部の高さが高くなり、これにより作業者がさほど中腰の姿勢とならずにバケット本体の先端を持ち上げて掬い取った雪塊の投棄運搬作業を行うことができるようになる。またバケット本体の深さが深くなりその容積が増加するため、一度に多くの雪塊を掬うことができる。
【００１６】
請求項４に記載のスノーダンプによれば、握持杆部の下方に把持部が設けられているため、作業者は投棄運搬作業時には握持杆部を、雪塊の掬い作業時には把持部を把持することで、立ち姿勢で雪かき作業を行い易くなる。
【００１７】
請求項５に記載のスノーダンプによれば、握持杆部を押し下げることでバケット本体の先端を持ち上げる際に、支点となる補強部を挿入部に形成することで、従来、大きな力がかかり変形や割れを生じ易かったバケット本体底面の後部を保護してスノーダンプの寿命を長引かせることができる。なお、支点となる部分の補強部は、雪塊を掬い取る際にバケット本体の進行を妨げないように、バケット本体の底面から大きく突出することはない。
【００１８】
請求項６に記載のスノーダンプでは、挿入部およびバケット支持部が下向きに凸となる弧形状をしているため、挿入部へのバケット支持部の挿入深度を調節することで、斜設部の傾斜角および握持杆部の高さを調節することができ、作業者が最も作業がし易いようにバケット本体に対する柄杆の取付状態を変更して、雪かき作業の負担を軽減することができる。
【００１９】
請求項７に記載のスノーダンプによれば、バケット本体の後方にネットを取り付けることで、バケット本体の後端上部から掬い上げた雪塊が零れ落ちることを効果的に防止することができ、バケット本体に多くの雪塊を積載することができる。特に、バケット本体の先端を持ち上げて雪塊の搬作業を行う場合にも、バケット本体から雪塊が零れ落ちることなく、雪かきの作業効率を向上させることができる。なおネットは軽量であるため、スノーダンプの総重量にほとんど影響を与えることはない。
【考案を実施するための最良の形態】
【００２０】
本考案のスノーダンプは、握持杆部の高さを簡易に調整可能として立ち姿勢での除雪作業を可能とし、また、雪掬い部の変形や割れが発生を防止してスノーダンプの耐久性を向上させ、さらに多くの雪塊を積載可能なスノーダンプを提供するものである。
以下、本考案のスノーダンプの具体的な実施例について図面を用いて説明する。
【実施例１】
【００２１】
図１および図２に本実施例のスノーダンプを示した。図１（ａ）は本実施例のスノーダンプの斜視図、図１（ｂ）は側面図であり、図２はスノーダンプの分解斜視図である。これらの図に示したようにこのスノーダンプ１０は、雪を掬うためのバケット状のバケット本体２と、バケット本体の左右両側においてバケット本体２に取り付けられた柄杆４等から構成されている。
【００２２】
バケット本体２は、後端を滑らかに立設するバケット本体底面２ａと、バケット本体底面の左右において立設してバケット本体底面の左右をふさぐ側面部２ｂとからその外形が構成されており、側面部２ｂは、立設するバケット本体底面２ａの後端とバケット本体底面の先端とを結ぶ線分をその一辺とする略三角形をしている。すなわちこのバケット本体２は、スノーダンプ１０を水平方向に前進させることで降り積もった雪に先端からこれを差し入れて、雪塊を掬うことができるようになっている。このバケット本体２はプラスチック樹脂により一体形成されており、バケット本体２の左右側面部上端外縁には円筒形断面の円筒形縁部２４が形成されている。
なお、このバケット本体底面２ａの立設する後端は、従来のスノーダンプよりも嵩上げされており、一回の雪かき動作で掬うことができる雪塊の量が従来よりも多くなるように設計されている。
【００２３】
バケット本体２の先端を除く外縁、すなわち左右の側面部２ｂの上端外縁およびバケット本体底面２ａの後端の上端外縁には、上方から見て略コの字型のフレームパイプ６が取り付けられる。
このフレームパイプ６は金属パイプにより作成されており、バケット本体２の左右の側面部上端外縁に沿って伸長する一対の挿入部６ａと、バケット本体底面２ａの後端の上端外縁において左右の挿入部６ａを連結する連結部６ｂとから構成されている。挿入部６ａおよび連結部６ｂはまっすぐな中空円管であり、連結部６ｂは左右の一対の挿入部６ａに溶接されている。一対の挿入部６ａには、鉛直方向に貫通する第１貫通孔１２が形成されており、また円筒形縁部２４にも、挿入部６ａを嵌挿して固定した際に第１貫通孔１２に対応する位置に貫通孔１２’が形成されている。
【００２４】
バケット本体２へのフレームパイプ６の組み付けは、バケット本体２の左右側面部上端外縁の円筒形縁部２４に、挿入部６ａを嵌挿することで固定して行われる。挿入部６ａは、その先端がバケット本体２の先端部近傍にくるように、その後端がバケット本体底面２ａ後端にくるようにして、バケット本体底面２ａの平坦面に対して斜め上方を向いて傾斜して組み付けられる。連結部６ｂは、バケット本体底面２ａ後端と近接して配置されるが、バケット本体２には固定されていない。なおこの連結部６ｂは、雪かき作業の際に、作業者が足をかけて踏み込むための足場として使用される。
【００２５】
バケット本体２に取り付けられる柄杆４は、フレームパイプ６の挿入部６ａの内径より僅かに小さい外径の一本の中空の金属円管を屈曲させることで作成されている。柄杆４は、左右一対の挿入部６ａに挿入されるまっすぐな一対のバケット支持部４ａと、バケット支持部４ａから連続して伸長する一対の斜設部４ｂと、左右一対の該斜設部４ｂの末端を連結する握持杆部４ｃとからなり、上方から見て縦横の長さが共に７５ｃｍ程度の略コの字型をなしている。
斜設部４ｂはバケット支持部４ａに対して屈曲しており、斜設部４ｂとバケット支持部４ａとは柄杆４をバケット本体２に取り付けた状態で側方から見てくの字型をなしている。なお本実施例では図１（ｂ）に示したように、斜設部４ｂがバケット支持部４ａよりも倒立する方向の傾斜を有しているが、バケット支持部４ａの立ち上がり角度が大きい場合には、図３に示したように斜設部４ｂが倒れる方向の傾斜を有することも可能である。
【００２６】
バケット支持部４ａには、上記第１貫通孔１２と同じ大きさの鉛直方向に貫通する第２貫通孔１４が等間隔に並んで複数形成されている。バケット支持部４ａは、フレームパイプ６の挿入部６ａに滑らかに挿入可能であり、挿入部６ａの第１貫通孔１２とバケット支持部４ａの第２貫通孔１４の一つとを位置合わせし、ここに落下防止用のリングが端部に取り付けられた第１貫通孔１２および第２貫通孔１４と同様の横断面形状を有する棒状のピン１６を上方から下方に向けて差し込むことで、挿入部６ａへのバケット支持部４ａの挿入深度を調節して、バケット本体２にバケット支持部４ａを固定することができる。
【００２７】
また図１に示したように、バケット支持部４ａと連結部６ｂとが形成する面には、バケット本体２の後端上部から掬い上げた雪塊が零れ落ちることを防止するための伸縮性を有する矩形のネット２２が設けられている。このネット２２は、バケット支持部４ａ下方部分の左右およびフレームパイプ６の連結部６ｂの三辺に固定されている。なおこのネット２２は伸縮性を有するため、挿入部６ａへのバケット支持部４ａの挿入深度を変更する場合や雪かき作業に際して連結部６ｂに足をかけて踏み込む場合にもこれを阻害することはない。
【００２８】
また柄杆４は、斜設部４ｂがバケット本体２の底面平坦部の延長線と７５°±１０°をなすように傾斜してバケット本体に取り付けられる。このように従来のスノーダンプ１０と比べて斜設部４ｂを倒立することにより、斜設部４ｂが同じ長さであっても握持杆部４ｃの高さを高くすることができる。これにより従来は腿高程度であった握持杆部４ｃの高さを腰高程度として、立ち姿勢での雪かき作業が可能となる。
【００２９】
以上の構成を有するスノーダンプ１０によれば、第１貫通孔１２および第２貫通孔１４へのピン１６の抜き差しのみによって挿入部６ａへのバケット支持部４ａの挿入深度を容易に調節することができ、これにより、挿入部６ａへのバケット支持部４ａの挿入深度を深くすることで容易に柄杆４の握持杆部４ｃの高さを低くし、挿入深度を浅くすることで柄杆４の握持杆部４ｃの高さを高くすることができる。このように作業者が作業しやすい高さに握持杆部４ｃを簡易に調整可能とすることで、迅速な操作によって立ち姿勢での雪かき作業を実現し、作業者の負担を軽減することができる。
特に、本実施例では握持杆部４ｃの高さを従来よりも高くして作業者の腰位置にまで持ってくることで、握持杆部４ｃを押し下げバケット本体２先端を持ち上げた上体で投棄運搬する際にも、作業者はさほど中腰姿勢をとる必要がなく、腰への負担を軽減することができる。
さらにバケット本体底面２ａ後端を嵩上げすると共に、バケット本体２の後方にネット２２を設けたため、バケット本体２の後端上部から掬い上げた雪塊が零れ落ちることを防止して、一度に多くの雪塊をバケットに積載して運搬することができる。
【実施例２】
【００３０】
図４は本発明のスノーダンプ１０の第２の実施例を示した。図４（ａ）は本実施例のスノーダンプの斜視図、図４（ｂ）は側面図である。なお本実施例において実施例１と同様の構成については図１と同様の符号を付することで、重複する説明を省略する。
【００３１】
このスノーダンプ１０のバケット本体２の左右側面部２ｂの上端外縁後方は、下向きに凸となる孤形状をなしており、立設するバケット本体底面２ａ後端の高さは従来のスノーダンプよりも嵩上げされている。またバケット本体２の左右側面部２ｂの上端外縁にはこれに沿って下向きに凸となる孤形状をなす円筒形縁部２４が形成されている。
【００３２】
バケット本体２の先端を除く外縁には、上方から見て略コの字型のフレームパイプ６が取り付けられる。このフレームパイプ６は、バケット本体２の左右の側面部上端外縁に沿って伸長する一対の挿入部６ａと、バケット本体底面２ａ後端の上端外縁において左右の挿入部６ａを連結する連結部６ｂと、挿入部６ａに溶接して取り付けられた補強部１８とから構成されている。挿入部６ａの後方は円筒形縁部２４と同様の孤形状をなしている。
【００３３】
補強部１８は挿入部６ａから下方に伸び、その下端部をバケット本体底面２ａ後部の平坦部と同一平面上か、平坦部から僅かに突出した状態でバケット本体２に配置される。この補強部１８の下端部は、握持杆部４ｃを押し下げることでバケット本体２の先端をテコの原理により持ち上げる際に支点となる。そのため、従来、大きな力がかかり変形や割れを生じ易かったバケット本体底面２ａの後部が保護され、スノーダンプの耐久性が向上する。なお、この補強部１８は雪塊を掬い取る際にバケット本体２の進行を妨げないように、バケット本体２の側面部２ｂに形成した溝に埋め込まれ、側面部２ｂの外面に飛び出ないようにしてやることが好ましい。
【００３４】
また図５に示したように、挿入部６ａをバケット本体２の左右側面部２ｂの上端外縁に設ける代わりに、後端を滑らかに立設するバケット本体底面２ａの左右に設ける構成としてやれば、挿入部６ａ自体を補強部１８としても機能させることもできる。
【００３５】
バケット本体２に取り付けられる柄杆４は、左右一対の挿入部６ａに挿入される挿入部６ａの曲率と同様の曲率をなす一対のバケット支持部４ａと、バケット支持部４ａから連続して伸長する真っ直ぐな斜設部４ｂと、左右一対の該斜設部４ｂの末端を連結する握持杆部４ｃと、握持杆部の下方近傍の斜設部４ｂから対向して内側に突出する各長さが１５ｃｍ程度の一対の把持部４ｄとから形成されている（図４）。この把持部４ｄは、スノーダンプ１０を前進させて雪を掬う際に作業者の握りとなる部分（作業者が斜設部４ｂを握って雪を掬う際には握った手の滑りを抑制するストパーとなる部分）であり、作業者は把持部４ｄまたは斜設部４ｂを握るとともに握持杆部４ｃに腰を当ててスノーダンプ１０を押し出すことで雪かきを行う。なお把持部４ｄは左右の斜設部４ｂを連結する一本の金属棒とすることもできる。
【００３６】
図６は挿入部６ａへのバケット支持部４ａの挿入深度によりその傾斜を変更する柄杆４の様子を示した側面図である。この図に示したように、挿入部６ａに深くバケット支持部４ａを差し入れる場合には斜設部４ｂは倒れて握持杆部４ｃの高さは低くなり、挿入部６ａに浅くバケット支持部４ａを差し入れる場合には斜設部４ｂは立ち上がり倒立して握持杆部４ｃの高さは高くなる。
【００３７】
以上の構成を有する本実施例のスノーダンプ１０によれば、挿入部６ａおよびバケット支持部４ａが下向きに凸となる弧形状をしているため、実施例１のスノーダンプ１０と比べて、少ない挿入深度の変更によっても握持杆部４ｃの高さを大きく変更することができる。
【００３８】
以上説明したように本考案のスノーダンプでは、柄杆の握持杆部の高さを簡易に調整することが可能であり、これにより立ち姿勢での除雪作業を簡易に実現することが可能となる。また、バケット本体後端が従来のスノーダンプよりも嵩上げされているため、一回に掬い取ることができる雪塊の量が増し、雪かき作業の効率化を図ることができる。さらに、バケット本体後方に取り付けられたネットによって、バケット本体の後端上部から掬い上げた雪塊が零れ落ちることを効果的に防止することができ、バケット本体に多くの雪塊を積載しても、バケット本体の先端を持ち上げバケット本体を傾けて雪塊の投棄運搬を行うことができる。加えて、補強部によりバケット本体底面の後部が保護されているため、バケット本体底面の後部に大きな力が直接作用することがなく、バケット本体の変形や割れが回避され、スノーダンプの耐久性が向上することとなる。
【００３９】
なお本考案のスノーダンプの形状等は、考案の趣旨を逸脱しない範囲で適宜変更することができるのは勿論である。
【産業上の利用可能性】
【００４０】
上述したように本考案のスノーダンプは雪かき作業の負担軽減、効率化を図ることを主目的としたものであるが、雪以外にも路面に積もった灰や砂状物などにも広く使用することが可能である。
【図面の簡単な説明】
【００４１】
【図１】第１実施例におけるスノーダンプを示した図である。
【図２】第１実施例におけるスノーダンプの分解斜視図である。
【図３】第１実施例における他の形態のスノーダンプを示した図である。
【図４】第２実施例におけるスノーダンプを示した図である。
【図５】第２実施例における他の形態のスノーダンプを示した図である。
【図６】傾斜を変更する柄杆の様子を示した第２実施例におけるスノーダンプの側面図である。
【図７】従来のスノーダンプを示した図である。
【符号の説明】
【００４２】
２    バケット本体
２ａ  バケット本体底面
２ｂ  側面部
４    柄杆
４ａ  バケット支持部
４ｂ  斜設部
４ｃ  握持杆部
４ｄ  把持部
６    フレームパイプ
６ａ  挿入部
６ｂ  連結部
１０  スノーダンプ
１２  第１貫通孔
１２’  貫通孔
１４  第２貫通孔
１６  ピン
１８  補強部
２２  ネット
２４  円筒形縁部
【図１】
0003108877.tif 000003
【図２】
0003108877.tif 000004
【図３】
0003108877.tif 000005
【図４】
0003108877.tif 000006
【図５】
0003108877.tif 000007
【図６】
0003108877.tif 000008
【図７】
0003108877.tif 000009